(57)【要約】      （修正有）【課題】収納した長物野菜の横倒れ、倒れ出しを防止するショッピングバッグを提供する。【解決手段】ショッピングバッグ２の内または外側の１乃至数か所に縦長ポケット２ａ、２ｂを設ける。長物野菜Ｙを縦長ポケット２ａ、２ｂに縦入れ状態にて収納し、ゴム輪２ｃにて締め止めして横揺れしないようにする。【選択図】図２
0003229077.tif 000002
【実用新案登録請求の範囲】
【請求項１】
ショッピングした物品中、長ネギ，大根，ごぼう，長芋などの長物野菜および飲料が収納したショッピングバッグ内にて横倒れしたり、倒れ出しすることを防止するために、ショッピングバッグの内または外側の１乃至数か所に長物野菜を縦入れ状態にて収納し保持する縦長ポケットを設けたことを特徴とする長物野菜縦入れ収納機能付きショッピングバッグ。
【請求項２】
ショッピングバッグの内側の１乃至数か所に紐またはバンドを設けて、縦入れする長物野菜を横倒れしないように結束する請求項１に記載の長物野菜縦入れ収納機能付きショッピングバッグ。
【考案の詳細な説明】
【技術分野】
【０００１】
この考案はエコバッグ等を含むショッピングバッグに購入した物品中の長ネギ，大根，ごぼう，長芋などの長物野菜が収納したショッピングバッグ内にて横倒れして、横長に嵩ばって持ち運びを容易でないものにするほか、ショッピングバッグより倒れ出して周囲を汚したりすることを防止する縦入れ収納機能付きショッピングバッグに関するものである。
【背景技術】
【０００２】
従来技術として提案されている実用新案登録第３１３７４６９号公報は、バッグ内に小さな格納袋を設けて、ショッピング時には内側ポケットとし、不使用時にはバッグを小さく畳んで小さな格納袋に格納することができるようにしたことを記載している。
【特許文献１】実用新案登録第３１３７４６９号公報
【考案の開示】
【考案が解決しようとする課題】
【０００３】
上記公報の格納袋は図１，２に示されているようにバッグの上部に小さく形成されているために、ショッピングした物品中の長ネギ，大根，ごぼう，長芋などの長物野菜を収納することができないという課題がある。
【０００４】
そこで従来は長物野菜を切って２分したり折ったりして収納することがあって長物野菜の水分を漏出させているという課題がある。
【課題を解決するための手段】
【０００５】
本考案は、ショッピングバッグの内側または外側の１乃至数か所に長物野菜を縦入れすることができる縦長ポケットを設けてショッピングした物品中、長ネギ，大根，ごぼう，長芋などの長物野菜をこの縦長ポケット内に縦入れして長物野菜が横倒れしないようにして上記した課題を解消するようにしたのである。
【考案の効果】
【０００６】
本考案はショッピングバッグの内または外側の１乃至数か所に縦長ポケットを設けたので、ショッピングした物品中の長ネギ，大根，ごぼう，長芋などの長物野菜を切らずにそのまま縦入れ収納して横倒れと倒れ出しを防止することができるという効果を生ずる。
【０００７】
縦長ポケットは長さ，大きさを変えることで、長物野菜を長さ，大きさに対応して収納することができるという効果を生ずる。
【０００８】
縦長ポケットは通常のポケット形状のほか、上端の口縁をゴム輪にすることにより、長物野菜の上部を締め止めして横揺れすることを防止することができるという効果を生ずる。
【０００９】
長物野菜は切らず，折らずに収納することで水分の漏出を防止することができるとともに商品の劣化を防ぐことができるという効果を生ずる。
【００１０】
長物野菜の倒れ出しによる周囲の汚れを防止することができるという効果を生ずる。
【図面の簡単な説明】
【００１１】
【図１】本考案の第１実施例であって、ショッピングバッグの内側と外側の各１か所に縦長ポケットを設けた例を示す一部透視した斜視図。
【図２】同、長物野菜を縦入れ収納した使用状態を示す斜視図
【図３】本考案の第２実施例を示すもので、（ａ）はショッピングバッグの内側の中間にバンドを設け、（ｂ）は同、上下の位置にバンドを設け、（ｃ）は同、上中下の位置にバンドを設けた例を示す部分正面図
【図４】同、（ａ）は２本の紐で縛った例、（ｂ）はバンドを接離する平面ファスナーとした例、（ｃ）はホックで止めるようにした例を示す部分正面図
【図５】弁当と区分けして飲料を縦入れ収納した例を示す平面図
【符号の説明】
【００１２】
１は上端の口径
２はショッピングバッグ
２ａ，２ｂは縦長ポケット
２ｃはゴムバンド
３は提手
４は紐またはバンド
Ｙは長物野菜
Ｂは弁当
Ｘは飲料
【考案を実施するための最良の形態】
【００１３】
本考案は、提手を上部に有してショッピングした物品を収納しやすいように上端の口径を大きくした大小各種のショッピングバッグの内または外側の１乃至数か所に大きさ，長さを変えた通常のポケット形状のほか、ネット製の縦長ポケットを形成して、ショッピングした物品中の長ネギ，大根，ごぼう，長芋などの長物野菜を対応する縦長ポケット内に縦入れ収納して横倒れしないように構成する。またポケットは口縁をゴム輪にすることにより、さらに収納作業を容易にすることができるものとなる。
【実施例１】
【００１４】
図１乃至図２は本考案の第１実施例を示すもので、上端口径１の大きい大小各種の形状にて形成するショッピングバッグ２の左右側面の内側または外側に長さ，大きさを変えた縦長ポケット２ａ，２ｂを設ける。３は上部の提手である。
【００１５】
縦長ポケット２ａ，２ｂはネットにて形成し、上端の口縁に締め止め用のゴム輪２ｃを取付ける。
【００１６】
スーパーなどでショッピングした物品中長ネギ，大根，ごぼう，長芋などの長物野菜Ｙは長さ，大きさ別に対応した縦長ポケット２ａ，２ｂのいずれかにゴム輪２ｃを開いて、折らず・切らずに縦入れ収納する。収納した長物野菜Ｙは上端のゴム輪２ｃにて締め止めして横揺れしないようにする。
【００１７】
ショッピングバッグ２は長物野菜Ｙを縦長ポケット２ａ，２ｂ内に縦入れ収納することで横倒れしたり、倒れ出したりすることがなく、横倒れによるショッピングバッグ２の横への拡がりによる嵩ばりがなくなって、ショッピングバッグ２を持ち運びしやすくする。また他のショッピングした物品を傷つけることもなくなることになる。
【００１８】
さらにショッピングしたショッピングバッグ２を車の座席や台所などに置いたときに長物野菜Ｙがショッピングバッグ２より倒れ出しすることがなくなって周囲を汚さないことになる。
【実施例２】
【００１９】
図３乃至図４は本考案の第２実施例であって、縦長ポケット２ａ，２ｂにかえて長物野菜Ｙを縦入れ状態にて結束する紐またはバンド４をショッピングバッグ２の内側の中間または上下，上中下に設けた例を示すもので、紐またはバンド４は固定式にするほか、図４に示すように紐，平面ファスナー，ホック，ボタンなどで長さ調整することができるようにする。
【００２０】
紐またはバンド４はあらかじめ輪形に形成したり，平面ファスナーを用いて接離する２本の分割型にて形成するなどして、長物野菜Ｙをショッピングバッグ２の内側にて縦入れ結束して固定するのである。
【００２１】
本考案のショッピングバッグ２は図５に示すようにコンビニにて弁当Ｂと飲料Ｘを買うときに、飲料Ｘを縦長ポケット２ａ，に縦入れ状態にて収納して固定することもできる。
【産業上の利用可能性】
【００２２】
本考案はショッピングバッグ内または外側に縦長ポケットを設けて、長物野菜をこの縦長ポケットに縦入れ収納して、長物野菜の横倒れと倒れ出しを防止することで広く利用されるものである。
【図１】
0003229077.tif 000003
【図２】
0003229077.tif 000004
【図３】
0003229077.tif 000005
【図４】
0003229077.tif 000006
【図５】
0003229077.tif 000007